(57)【要約】【課題】躯体と框ドアの框との間に指が挟まれるという事故を防止する。【解決手段】框ドア３０の面体３７の中間方立１３と対向する面には、副面体３９を接着剤層４０によって接着固定する。副面体３９の中間方立１３側の一端面３９ａと、框ドア３０の縦框部３３の中間方立１３側の一端面３３ａとは、同一平面上に配置する。【選択図】図３
2006274647.tif 000002
【特許請求の範囲】
【請求項１】
内周面に保持溝が形成された框と、周縁部が前記保持溝に挿入された状態で前記框に保持された面体とを備えた框ドアにおいて、
前記面体にこれと平行な副面体を取り付けたことを特徴とする框ドア。
【請求項２】
前記副面体の前記面体と逆側に位置する一端面が前記保持溝の幅方向における前記框の一端面とほぼ同一平面上に位置するように上記副面体が上記面体に取り付けられていることを特徴とする框ドア。
【請求項３】
上記副面体が上記面体に接着固定されていることを特徴とする請求項１又は２に記載の框ドア。
【請求項４】
上記面体と上記副面体との少なくとも一方が透明であり、上記面体と上記副面体とを接着する接着剤として互いに異なる色に着色された複数の接着剤が用いられ、この複数の接着剤によって所定の模様が描かれていることを特徴とする請求項３に記載の框ドア。
【請求項５】
前記面体と前記副面体との対向面間に隙間が形成されるよう、前記副面体が前記面体にスペーサを介して取り付けられていることを特徴とする請求項１又は２に記載の框ドア。
【請求項６】
躯体に、その開口部を閉じた閉位置と躯体の収容部に収容されて前記開口部を開いた開位置との間を左右方向へスライド可能に支持された框ドアと、この框ドアをスライドさせる駆動手段とを備えたスライド式自動ドアにおいて、
前記框ドアとして請求項１〜５のいずれかに記載の框ドアが用いられていること特徴とするスライド式自動ドア。
【発明の詳細な説明】
【技術分野】
【０００１】
この発明は、框ドア及びこの框ドアを備えたスライド式自動ドアに関する。
【背景技術】
【０００２】
一般に、框ドアは、図７に示すように、框１と板ガラス２とを備えている。框１の内周面には、保持溝１ａが形成されている。板ガラス２は、その周縁部が保持溝１ａに挿入された状態で框１に保持されている。
【０００３】
前記構成の框ドアをスライド式自動ドアに用いた場合には、板ガラス２が保持溝１ａに保持されているので、框１の一端面１ｂと板ガラス２との間には段差Ｗが形成される。このため、框ドアが全開位置近傍に達したときに躯体（図示せず）に設けられた中間方立３と框１との間に指が挟み込まれるおそれがあった。そこで、下記特許文献１に記載の框ドアにおいては、保持溝１ａを中間方立３側に寄せ、それによって段差Ｗを小さくしている。
【特許文献１】特開２００４−２７８２８６号公報
【発明の開示】
【発明が解決しようとする課題】
【０００４】
しかしながら、框１の一端面１ｂとこれに隣接する保持溝１ａの側面との間には、当該部分の強度を所定の大きさ以上に維持するために、一定以上の肉厚ｔが必要である。したがって、前記特許文献１に記載のものにおいては、段差Ｗを一定の大きさ以下にすることができず、指を挟む危険性が依然として存在していた。そこで、そのような危険性のより一層の低下が望まれていた。
【課題を解決するための手段】
【０００５】
前記の問題を解決するために、この発明に係る框ドアは、内周面に保持溝が形成された框と、周縁部が前記保持溝に挿入された状態で前記框に保持された面体とを備えた框ドアにおいて、前記面体にこれと平行な副面体を取り付けたことを特徴としている。
【０００６】
この場合、前記副面体の前記面体と逆側に位置する一端面が前記保持溝の幅方向における前記框の一端面とほぼ同一平面上に位置するように前記副面体が前記面体に取り付けられていることが望ましい。このようにすれば、躯体と框ドアとの間に指が挟まれる事故をほとんど無くすことができる。
【０００７】
前記副面体は、前記面体に接着固定してもよく、他の方法で取り付けてもよい。
【０００８】
前記面体と前記副面体との少なくとも一方が透明であり、前記面体と前記副両面体とを接着する接着剤として互いに異なる色に着色された複数の接着剤が用いられ、この複数の接着剤によって所定の模様が描かれていることが望ましい。このようにすれば、框ドアの美観を向上させることができる。
【０００９】
前記面体と前記副面体との対向面間に隙間が形成されるよう、前記副面体が前記面体にスペーサを介して取り付けられていることが望ましい。このようにすれば、框ドアの遮音性及び断熱性を向上させることができる。
【００１０】
前記の問題を解決するために、この発明に係るスライド式自動ドアは、躯体に、その開口部を閉じた閉位置と躯体の収容部に収容されて前記開口部を開いた開位置との間を左右方向へスライド可能に支持された框ドアと、この框ドアをスライドさせる駆動手段とを備えたスライド式自動ドアにおいて、前記框ドアとして請求項１〜５のいずれかに記載の框ドアが用いられていること特徴としている。
【発明の効果】
【００１１】
前記特徴構成を有するこの発明の框ドア又はスライド式自動ドアによれば、副面体の厚さの分だけ框と面体との間に形成される段差を小さくすることができる。したがって、指が躯体と框との間に挟まれる危険性を大幅に低減することができる。
【発明を実施するための最良の形態】
【００１２】
以下、この発明を実施するための最良の形態を、図面を参照して説明する。
図１は、この発明に係るスライド式自動ドア１０を示す正面図である。自動ドア１０は、躯体本体（図示せず）及び床Ｆを有する躯体に設けられている。躯体本体は、下端部が床Ｆによって閉じられた開口部Ｈを有している。この開口部Ｈの左右両側部には、側枠１１が立設されている。二つの側枠１１，１１の上端部間には、開口部の上端に沿って水平に延びる無目１２が掛け渡されている。無目１２と床Ｆとの間には、上下に延びる二つの中間方立１３，１３が設けられている。各中間方立１３，１３は、側枠１１，１１からそれぞれ同一距離だけ離間して配置されている。側枠１１、床Ｆ、中間方立１３及び無目１２によって区画される四角形の空間は、透明又は不透明な板ガラス等の板材１４によって閉じられている。したがって、無目１２、床Ｆ及び左右の中間方立１３，１３によって区画される空間が、躯体の実質的な開口部（出入口）１５になっている。
【００１３】
無目１２と床Ｆとの間には、この発明に係る一対の框ドア３０，３０が配置されている。框ドア３０は、無目１２内に水平に配置された上レール１６により戸車１７を介して左右方向へ移動可能に支持されている。框ドア３０の下端部は、床Ｆに設けられた下レール１８によって左右方向へ移動可能にガイドされている。框ドア３０，３０は、開口部１５の左右方向の中央部において互いに突き当たった閉位置と、この閉位置から互いに離間するように図１（Ａ）の矢印方向へ移動して中間方立１３及び板材１４と対向した開位置との間を移動可能になっている。框ドア３０，３０が閉位置に移動すると、開口部１５が框ドア３０，３０によって閉じられる。框ドア３０，３０が開位置に移動すると、開口部１５のほぼ全体が開かれる。開位置に移動した框ドア３０を受け入れる空間、つまり中間方立１３及び板材１４から框ドア３０側へ向かった所定の範囲の空間が、框ドア３０を収容する収容部１９になっている。
【００１４】
スライド式自動ドア１０は、框ドア３０，３０を互いに逆向きに左右方向へそれぞれ移動させる駆動手段（図示せず）を有している。駆動手段は、光センサ、その他のセンサからなる検出手段（図示せず）が框ドア３０，３０の前に人が来たことを検出すると、框ドア３０，３０を開移動させ、人が去ると框ドア３０，３０を閉移動させるようになっている。駆動手段に関するこのような構造は、周知であるのでその詳細な説明は省略する。
【００１５】
図２に示すように、框ドア３０は、框３１と面体３７とを備えている。框３１は、左右方向へ互いに所定距離だけ離れた縦框部３２，３３と、縦框部３２，３３の上端部間に水平に掛け渡された上框部３４と、縦框部３２，３３の下端部間に水平に掛け渡された下框部３５とによって長方形の枠状に形成されている。框３１の内周面には、その全周にわたって環状に延びる保持溝３６（図３参照）が形成されている。保持溝３６は、框ドア３０の厚さ方向（前後方向；図３において上下方向）における中央より中間方立１３側に寄せて配置されている。勿論、保持溝３６は、框ドア３０の厚さ方向の中央部に配置してもよい。
【００１６】
面体３７は、透明な板ガラスによって構成されている。面体３７は、必ずしも透明である必要はなく、半透明又は不透明であってもよい。また、面体３７は、合成樹脂、木材等によって構成してもよい。図３に示すように、面体３７の周縁部は、框３１の内周面に形成された保持溝３６にシール材３８を介して挿入されている。これにより、面体３７が框３１に気密にシールされた状態で保持されている。
【００１７】
図３に示すように、面体３７の中間方立１３側の面には、副面体３９が接着剤層４０によって接着固定されている。副面体３９は、この実施の形態では、透明なガラス板によって構成されているが、半透明又は不透明なガラス板によって構成してもよく、合成樹脂又は木材からなる板材によって構成してもよい。副面体３９の厚さは、縦框部３３の中間方立１３側の一端面（保持溝３６の幅方向における框３１の一端面）３３ａと保持溝３６の側面との間の框３１の肉厚ｔから接着剤層４０の厚さを差し引いた寸法と同等以下に設定されている。特に、この実施の形態では、等しく設定されている。したがって、副面体３９の中間方立１３側の一端面（副面体３９の面体３３と逆側に位置する一端面）３９ａは、縦框部３３の一端面３３ａと同一平面上に位置している。なお、符号４１は、框３１の内周面と副面体３９の外周面との間に設けられたシール材である。
【００１８】
接着材層４０は、面体３７及び副面体３９が不透明であるときには、透明、不透明ないずれの接着剤によって構成してもよいが、両面体３７，３９の少なくとも一方が透明であるときには、透明な接着剤で構成するのが望ましい。ただし、後述するように、接着剤によって所定の模様を形成するときには、適宜に着色された接着剤が用いられる。
【００１９】
前記構成のスライド式自動ドア１０においては、面体３７に副面体３９が設けられているので、面体３７と縦框３３との間に形成される段差を少なくとも副面体３９の厚さの分だけ小さくすることができる。よって、中間方立１３と縦框部３３との間に指が挟まれる事故を低減することができる。特に、この実施の形態では、縦框部３３及び副面体３９の中間方立１３側に位置する各端面３３ａ，３９ａを同一平面上に位置させているので、指が挟まれるような事故をほとんど皆無にすることができる。
【００２０】
次に、この発明に係る框ドアの他の実施の形態について説明する。なお、以下の実施の形態については、前記実施の形態と異なる構成についてのみ説明することとし、同様な部分には同一符号を付してその説明を省略する。
【００２１】
図４は、この発明に係る框ドアの第２実施の形態を示す。この実施の形態の框ドア３０Ａにおいては、接着剤層４０が格子状に設けられており、面体３７と副面体３９との対向面間のうち接着剤層４０が存在しない部分に空間が形成されている。この空間により、框ドア３０Ａの遮音性及び断熱性の向上が図られている。なお、面体３７と副面体３９との間に空間が形成されるという観点からすると、この実施の形態の接着剤層４０は、一種のスペーサとして機能している。また、この框ドア３０Ａにおいては、面体３７と副面体３９とのうちの少なくとも一方が透明な板材によって構成されるとともに、接着剤層４０を構成する接着剤が着色されている。したがって、接着剤層４０からなる格子状の模様が外部から見ることができ、框ドア３０Ａの美観を向上させることができる。
【００２２】
図５は、この発明に係る框ドアの第３実施の形態を示す。この実施の形態の框ドア３０Ｂにおいては、面体３７と副面体３９とのうちの少なくとも一方が透明になっている。また、接着剤層４０が多数の小部分４０ａ，４０ｂ，…に区分されている。各小部分４０ａ，４０ｂ，…は互いに異なる色に着色されている。したがって、この実施の形態の框ドア３０Ｂでは、面体３７及び／又は副面体３９がステンドグラスのように見え、美観をより一層向上させることができる。
【００２３】
図６は、この発明に係る框ドアの第４実施の形態を示す。この実施の形態の框ドア３０Ｃにおいては、面体３７と副面体３９との対向面間に多数のスペーサ４２が配置されている。各スペーサ４２は、その一端面と他端面とが面体３７及び副面体３９にそれぞれ接着固定されている。面体３７と副面体３９との対向面間には、スペーサ４２の高さに対応した幅（面体３７と副面体３９との対向方向の寸法）を有する空間が形成される。この空間の幅は、第２実施の形態の框ドア３０Ａの面体３７と副面体３９との間に形成される空間より広くなっている。したがって、框ドア３０Ｃの遮音性及び断熱性をより一層向上させることができる。また、副面体３９の厚さをスペーサ４２の高さの分だけ薄くすることができる。なお、スペーサ４２は、面体３７と副面体３９との少なくとも一方を透明にする場合には、透明な部材によって構成するのが望ましい。ただし、各スペーサ４２を適宜に配置して模様を形成することも可能であり、そのような場合にはスペーサ４２が着色される。
【００２４】
なお、この発明は、前記の実施の形態に限定されるものでなく、その要旨を逸脱しない範囲において適宜変更可能である。
例えば、前記の実施の形態においては、副面体３９を一つだけ用いているが、副面体３９を複数用いてもよい。その場合には、複数の副面体３９が層状をなすように、各副面体３９を面体３７に順次固着する。そして、最も外側に配置された一端面３９ａを縦框部３３の一端面３３ａと同一平面上に位置させるのが望ましい。
【図面の簡単な説明】
【００２５】
【図１】この発明に係るスライド式自動ドアの一実施の形態を示す図であって、図１（Ａ）はその正面図、図１（Ｂ）は図１（Ａ）のＸ−Ｘ線に沿う断面図である。
【図２】図１に示すスライド式自動ドアに用いられた、この発明に係る框ドアの第１実施の形態を示す正面図である。
【図３】框ドアを開位置近傍まで移動させたときの図１のＹ−Ｙ線に沿う拡大断面図である。
【図４】この発明に係る框ドアの第２実施の形態を示す正面図である。
【図５】この発明に係る框ドアの第３実施の形態を示す正面図である。
【図６】この発明に係る框ドアの第４の実施の形態の要部を示す断面図である。
【図７】従来の框ドアを備えたスライド式自動ドアの図３と同様の断面図である。
【符号の説明】
【００２６】
１０  スライド式自動ドア
１５  開口部
３０  框ドア
３０Ａ  框ドア
３０Ｂ  框ドア
３０Ｃ  框ドア
３１  框
３３ａ  （保持溝３６の幅方向における框３１の）一端面
３６  保持溝
３７  面体
３９  副面体
３９ａ  （副面体３９の面体３３と逆側に位置する）一端面
４０  接着剤層
４２  スペーサ
【図１】
2006274647.tif 000003
【図２】
2006274647.tif 000004
【図３】
2006274647.tif 000005
【図４】
2006274647.tif 000006
【図５】
2006274647.tif 000007
【図６】
2006274647.tif 000008
【図７】
2006274647.tif 000009